(57)【要約】【課題】外枠に取り付けられる装飾部材の着脱性を良好にすることで組立・分解作業性及びパーツリサイクル時の交換作業性を向上させる。【解決手段】外枠１２の下部に設けられた凸壁部１６０の前面１６０Ａに矩形孔２１０（矩形孔２１０Ｃ、２１０ＬＵ、２１０ＬＤ、２１０ＲＵ、２１０ＲＤ）を形成する。凸壁部１６０を装飾する下飾り２０の裏面２０Ｃには、矩形孔２１０と対応する位置に、係止爪を形成した先端側が弾性変形可能な弾性片を備える係合部材２２６（係合部材２２６Ｃ、２２６ＬＵ、２２６ＬＤ、２２６ＲＵ、２２６ＲＤ）を一体的に設ける。【選択図】        図４
2004194726.tif 000002
【特許請求の範囲】
【請求項１】
遊技機の外郭を構成して島設備に設置される外枠と、
前記外枠の被装飾部に設けられた第１係合部と、
前記第１係合部に係合可能な第２係合部を備え、この第２係合部を第１係合部に係合させて前記外枠に取り付けられ前記被装飾部を装飾する装飾部材と、
を有することを特徴とする遊技機。
【請求項２】
遊技機の外郭を構成する上枠部、下枠部、左枠部、及び右枠部が一体化され島設備に設置される外枠と、
前記外枠の前面下部に一体的に設けられた被装飾部と、
前記被装飾部に設けられた第１係合部と、
前記第１係合部に係合可能な第２係合部を備え、この第２係合部を第１係合部に係合させて前記外枠に取り付けられ前記被装飾部を装飾する装飾部材と、
を有することを特徴とする遊技機。
【請求項３】
前記第１係合部は、前記被装飾部を貫通する貫通孔とされ、前記第２係合部は、前記装飾部材に一体的に設けられ弾性変形可能とされた弾性片と、この弾性片の先端側に設けられ弾性片が前記貫通孔に挿入された状態で貫通孔の縁部に係止する係止爪と、
を有することを特徴とする請求項１又は請求項２記載の遊技機。
【請求項４】
前記被装飾部又は前記装飾部材の何れか一方に前記貫通孔に前記弾性片を挿入する挿入方向と平行な向きに突出された突出部が設けられ、他方に前記突出部が嵌め入れられる嵌入孔が設けられていることを特徴とする請求項３記載の遊技機。
【請求項５】
前記第１係合部は、前記被装飾部を貫通する貫通孔とされ、前記第２係合部は、前記装飾部材に一体的に設けられ前記貫通孔に挿入された状態でその挿入方向と略直交する方向へスライド可能とされた挿入片と、この挿入片の先端側に設けられ前記貫通孔に挿入させた挿入片を前記略直交する方向における所定方向へスライドさせることにより貫通孔の縁部に係止し前記所定方向とは反対方向へスライドさせることにより係止解除する係止部と、
を有することを特徴とする請求項１又は請求項２記載の遊技機。
【発明の詳細な説明】
【０００１】
【発明の属する技術分野】
本発明は遊技機係り、詳しくは、上枠部、下枠部、左枠部、及び右枠部を一体化した一体構造の外枠に装飾部材が取り付けられた遊技機に関する。
【０００２】
【従来の技術】
パチンコ機等の遊技機では、遊技機の外郭を構成する外枠に木製のものが多用されている。例えば、図１２及び図１３に示される従来の外枠３００は、木材から削り出した上枠材３０２、下枠材３０４、左枠材３０６、及び右枠材３０８を矩形状に組み合わせ、各枠材の端部内側（四隅）を板金製のＬ型連結部材３１０Ｌ、３１０Ｒ、３１２Ｌ、３１２Ｒで固定することにより枠状に形成している。さらに、その枠状体の前面下端部には、枠状体を補強する木製の補強板３１４がＬ型連結部材３１２Ｌ、３１２Ｒを介して固定されており、補強板３１４の前面には化粧パネルとなる合成樹脂製の下飾り３１６が複数本の木ネジにより取り付けられている。
【０００３】
また、上枠材３０２と補強板３１４との各左端部には内枠（図示省略）を開閉可能に支持するための板金製のヒンジ３１８、３２０がネジ止め固定されており、下側のヒンジ３２０には内枠側のヒンジ孔を軸支する鋼鉄製のヒンジ軸３２２が立設されている。さらに、右枠材３０８の内側面には内枠に設けられた施錠装置のフックが係合する板金製の鍵受け３２４、２個がネジ止め固定されている。
【０００４】
一方、近年では、環境問題を背景とした木材使用量の低減、あるいはリサイクル性等を考慮し、木製に替えて板金等の枠材を用いるものや、型成形により上枠部、下枠部、左枠部、及び右枠部を一体化した一体構造の外枠が普及しつつある。例えば、成形品による外枠としては、合成樹脂材料によるものがあり（例えば、特許文献１参照）、また本出願人は、特願２００２−３６２０７７においてアルミダイキャスト製の外枠を出願している。
【０００５】
【特許文献１】
特開２００２−２３３６４１公報  （第３頁、第１図、第２図）
【０００６】
【発明が解決しようとする課題】
しかしながら、上述したアルミダイキャスト（アルミニウム合金）製の外枠では、従来のように、下飾りを木ネジによって直接ネジ止め固定することは不可能である。また、成形後に、下飾りの取付部位にネジ孔を加工することは可能であるが、その場合は製造工程が増えてコストアップとなる。
【０００７】
一方、外枠をアルミダイキャスト製とした場合は、耐久性が向上することにより、使用済の外枠を回収し新装して再使用するパーツリサイクルの頻度が高くなる。このようなパーツリサイクルにおいては、傷や汚れが付きやすい下飾りは交換の対象になるため、ネジ止めによる固定では作業性が悪い。また、使用済の外枠を解体し、外枠及び下飾りをそれぞれ原材料へ戻す場合も同様であり、下飾りがネジ止め固定されていては取り外し作業性が悪い。
【０００８】
本発明は上記事実を考慮して、外枠に取り付けられる装飾部材の着脱性を良好にすることで組立・分解作業性及びパーツリサイクル時の交換作業性を向上させた遊技機を提供することを課題とする。
【０００９】
【課題を解決するための手段】
上記目的を達成するために請求項１に記載の発明は、遊技機の外郭を構成して島設備に設置される外枠と、前記外枠の被装飾部に設けられた第１係合部と、前記第１係合部に係合可能な第２係合部を備え、この第２係合部を第１係合部に係合させて前記外枠に取り付けられ前記被装飾部を装飾する装飾部材と、を有することを特徴としている。
【００１０】
また、請求項２に記載の発明は、遊技機の外郭を構成する上枠部、下枠部、左枠部、及び右枠部が一体化され島設備に設置される外枠と、前記外枠の前面下部に一体的に設けられた被装飾部と、前記被装飾部に設けられた第１係合部と、前記第１係合部に係合可能な第２係合部を備え、この第２係合部を第１係合部に係合させて前記外枠に取り付けられ前記被装飾部を装飾する装飾部材と、を有することを特徴としている。
【００１１】
請求項１及び請求項２に記載の発明では、装飾部材に設けた第２係合部を外枠の被装飾部に設けた第１係合部に係合させることにより装飾部材は外枠に取り付けられ、装飾部材によって被装飾部が装飾される。また、第１係合部と第２係合部の係合状態を解除することにより、外枠から装飾部材を取り外すことができる。これにより、外枠に取り付ける装飾部材の着脱性が良好になる。
【００１２】
請求項３に記載の発明は、請求項１又は請求項２記載の遊技機において、前記第１係合部は、前記被装飾部を貫通する貫通孔とされ、前記第２係合部は、前記装飾部材に一体的に設けられ弾性変形可能とされた弾性片と、この弾性片の先端側に設けられ弾性片が前記貫通孔に挿入された状態で貫通孔の縁部に係止する係止爪と、を有することを特徴としている。
【００１３】
請求項３に記載の発明では、装飾部材に設けた弾性片を被装飾部の貫通孔に挿入すると、弾性片の先端側に設けた係止爪が貫通孔の縁部に係止し、係止爪は弾性片の弾性力によってその状態に保持されるため、装飾部材は外枠に固定される。また、その状態から弾性片を貫通孔から抜き出す方向へ装飾部材を引っ張ると、弾性片は係止爪が貫通孔の縁部から外れる方向へ弾性変形し、係止爪が貫通孔の縁部から外れた瞬間、引っ張り方向の負荷が軽くなる。そしてそのまま、装飾部材を引っ張ると外枠から取り外すことができる。
【００１４】
請求項４に記載の発明は、請求項３記載の遊技機において、前記被装飾部又は前記装飾部材の何れか一方に前記貫通孔に前記弾性片を挿入する挿入方向と平行な向きに突出された突出部が設けられ、他方に前記突出部が嵌め入れられる嵌入孔が設けられていることを特徴としている。
【００１５】
請求項４に記載の発明では、装飾部材を外枠の被装飾部に取り付けると、被装飾部の貫通孔には装飾部材の弾性片が挿入された状態となり、これとは別に、被装飾部又は装飾部材の何れか一方に設けられた突出部は、他方に設けられた嵌入孔に嵌め入れられる。これにより、装飾部材に弾性片の挿入方向と直交する方向等の外力が加わっても、その力は突出部及び嵌入孔によって受け止められるため、貫通孔に挿入された弾性片が貫通孔の内壁に押し付けられ変形したり破損することが防がれる。また、例えば、突出部を弾性片よりも長くすると、装飾部材の取り付け時には弾性片が貫通孔に挿入される前に突出部が嵌入孔に嵌め入れられることになる。これにより、装飾部材を取り付ける際に弾性片を貫通孔に案内して挿入しやすくするガイド機能、あるいは装飾部材を適切な取り付け位置に位置決めする位置決め機能などを果たすこともできる。
【００１６】
請求項５に記載の発明は、請求項１又は請求項２記載の遊技機において、前記第１係合部は、前記被装飾部を貫通する貫通孔とされ、前記第２係合部は、前記装飾部材に一体的に設けられ前記貫通孔に挿入された状態でその挿入方向と略直交する方向へスライド可能とされた挿入片と、この挿入片の先端側に設けられ前記貫通孔に挿入させた挿入片を前記略直交する方向における所定方向へスライドさせることにより貫通孔の縁部に係止し前記所定方向とは反対方向へスライドさせることにより係止解除する係止部と、を有することを特徴としている。
【００１７】
請求項５に記載の発明では、装飾部材に設けた挿入片を被装飾部の貫通孔に挿入し、その状態で挿入方向と略直交する方向における所定方向へスライドさせると、挿入片の先端側に設けた係止部が貫通孔の縁部に係止する。これにより、装飾部材を外枠に取り付けることができる。また、所定方向とは反対方向へスライドさせると、係止部が貫通孔の縁部から外れるため、そのまま、挿入片を貫通孔から抜き出す方向へ装飾部材を引っ張ることにより、装飾部材を外枠から取り外すことができる。
【００１８】
【発明の実施の形態】
以下、図面を参照して本発明の実施の形態について説明する。
【００１９】
［第１の実施形態］
（パチンコ機の構成）
図１及び図２には、第１の実施形態に係るパチンコ機が示されている。図１及び図２に示すように、パチンコ機１０は、パチンコ機１０の外郭を構成するとともにパチンコホールの島設備に設置される矩形状の外枠１２を備えている。外枠１２の前面には矩形額縁状の内枠１４が配置されており、内枠１４は、外枠１２に設けられた一対のヒンジ部１６、１８に左側端部が軸支されて開閉可能に取り付けられている。また外枠１２の前面下部には、装飾部材である合成樹脂製の下飾り２０が取り付けられている。
【００２０】
内枠１４の前面上部には、ガラス板２２を装着したガラスフレーム２４を備えるガラス枠２６が配置されており、ガラス枠２６は左側端部が内枠１４に軸支されて開閉可能に取り付けられている。また、内枠１４の上部におけるガラス枠２６裏面側には、交換可能とされた遊技盤１００がセットされており、遊技盤１００は、ガラス枠２６を内枠１４に閉塞した状態でガラス枠２６に覆われるようになっている。
【００２１】
図２に示すように、パチンコ機１０の正面となるガラス枠２６の前面には、賞球表示灯や完了表示灯等としての機能を有する複数の表示灯８０と、賞球払出エラー表示灯８２及び払出状態エラー表示灯８４とがガラス板２２（遊技盤１００の遊技領域）を取り囲むように配列されており、さらに左上隅近傍と右側端上部には、遊技の効果音をステレオ出力するスピーカー８６、８８が配設されている。
【００２２】
また、内枠１４の前面下部には、遊技球を貯える球皿２８を備えた一体皿ユニット３０が配置されている。この一体皿ユニット３０も左側端部が内枠１４に軸支されて開閉可能に取り付けられており、一体皿ユニット３０の前面には、図２に示すように、左側下部に灰皿３２が配置され右側端部には打球の飛距離を調整するための発射ハンドル３４が取り付けられている。
【００２３】
一体皿ユニット３０の裏面には、発射ハンドル３４の基端部がネジ止めされてその基端固定部分を補強する板金製の発射ハンドル補強板３６と、球皿２８に貯められた遊技球が送り込まれる球送り装置３８とが取り付けられている。また、内枠１４の下部における一体皿ユニット３０裏面側には、遊技盤１００の左下に発射装置４０が配置され球皿２８の後方に位置して貯球タンク４２が取り付けられており、これらの発射装置４０及び貯球タンク４２は一体皿ユニット３０に覆われるようになっている。
【００２４】
内枠１４の裏面側には、貯球タンク４２の左側略上方に位置して賞球払出装置（図示省略）が設けられており、賞球払出装置から払い出された賞球は貯球タンク４２の上面左端部に形成されたタンク入口（図示省略）を介してタンク内へ落下されるようになっている。また、貯球タンク４２は、タンク底面が右側へ下り傾斜しており、その傾斜方向下流側となる前面右側端部にはタンク出口４４が形成されている。このタンク出口４４は、一体皿ユニット３０に形成された賞球排出口４６と対応して配置されており、賞球排出口４６は一体皿ユニット３０の前面に設けられた球皿２８と連通している。これにより、賞球払出装置からタンク内へ払い出された賞球は、タンク底面上を上流側（左側）から下流側（右側）へ転動し、タンク出口４４を介して賞球排出口４６から球皿２８に排出される。
【００２５】
また、タンク出口４４と賞球排出口４６との各下方位置には、上下方向に移動可能とされたシャッター板４８、５０がそれぞれ設けられている。このシャッター板４８、５０は、図２に示すように一体皿ユニット３０が閉塞された状態では各々下方へ移動してタンク出口４４と賞球排出口４６とを連通させ、図１に示すように一体皿ユニット３０が開放されると各々上方へ移動して、シャッター板４８はタンク出口４４の下縁側を、シャッター板５０は賞球排出口４６の下縁側を塞ぐようになっている。これにより、一体皿ユニット３０を開放した際に球皿２８及び貯球タンク４２から遊技球（賞球）がこぼれ出さないようにされている。
【００２６】
一方、内枠１４裏面の右側端部には施錠装置５２が取り付けられている。施錠装置５２にはシリンダー錠（錠前）５４が設けられており、このシリンダー錠５４の鍵孔５６は内枠１４の前面から露出されている。また、施錠装置５２の上下端部近傍で、外枠１２の右内側面に設けられた一対の鍵受け部５８Ａ、５８Ｂと対応する位置には、後方へ突出された一対の内枠固定用フック６０Ａ、６０Ｂが設けられており、ガラス枠２６裏面の右側端部に取り付けられているガラス枠補強板６２に設けられた一対の鍵受け部６４Ａ、６４Ｂと対応する位置には、内枠１４に形成されたスリット６６Ａ、６６Ｂを通して前方へ突出された一対のガラス枠固定用フック６８Ａ、６８Ｂが設けられている。さらに、施錠装置５２の下方部で、一体皿ユニット３０裏面の発射ハンドル補強板３６に形成された一対の鍵受け開口部７０Ａ、７０Ｂと対応する位置には、内枠１４に形成されたスリット７２Ａ、７２Ｂを通して前方へ突出された一対の一体皿ユニット固定用フック７４Ａ、７４Ｂが設けられている。これにより、内枠１４を閉じた際は、内枠固定用フック６０Ａ、６０Ｂが鍵受け部５８Ａ、５８Ｂに係合して内枠１４は外枠１２に固定され、ガラス枠２６を閉じた際は、ガラス枠補強板６２の鍵受け部６４Ａ、６４Ｂがガラス枠固定用フック６８Ａ、６８Ｂに係合してガラス枠２６は内枠１４に固定される。一体皿ユニット３０を閉じた際は、発射ハンドル補強板３６の鍵受け開口部７０Ａ、７０Ｂが一体皿ユニット固定用フック７４Ａ、７４Ｂに係合して一体皿ユニット３０は内枠１４に固定される。
【００２７】
また、内枠固定用フック６０Ａ、６０Ｂ及びガラス枠固定用フック６８Ａ、６８Ｂは、シリンダー錠５４の鍵孔５６に図示しない鍵を差し込んで所定方向に回すことにより、係合状態がそれぞれ解除されて解錠されるようになっている。一体皿ユニット固定用フック７４Ａ、７４Ｂについては、ガラス枠２６を開放すると露出される施錠装置５２の解除レバー７６を押し下げることにより、一体皿ユニット固定用フック７４Ａ、７４Ｂが下方へスライドして鍵受け開口部７０Ａ、７０Ｂとの係合状態が解除されるようになっている。この施錠装置５２により、内枠１４は外枠１２に施錠され、ガラス枠２６は内枠１４に施錠されるとともに、一体皿ユニット３０は内枠１４にロックされて、それぞれ閉塞状態に固定される。
【００２８】
（遊技盤の構成）
遊技盤１００は、装飾画（図示省略）を印刷した樹脂製シート状のセルが基板であるベニヤ板に貼着されてそのセルの表面が盤面１００Ａとなっている。盤面１００Ａの外周端部付近には、円弧状の外レール１０２及び内レール１０４が取り付けられており、これらの外レール１０２と内レール１０４とによって囲まれた円形状の領域は、遊技球が移動可能な遊技領域１０１とされている。
【００２９】
遊技領域１０１（盤面１００Ａ）のほぼ中央には、特別図柄表示装置１０６が配置されている。特別図柄表示装置１０６は液晶ディスプレイを内蔵しており、そのディスプレイ画面１０８には特別図柄の抽選や各種演出等のアニメーションが表示される。
【００３０】
特別図柄表示装置１０６の下方には、始動口（スタート・チャッカー）１１０が配置されている。始動口１１０の下方には、遊技領域１０１の下端部付近に位置して変動入賞装置（特別電動役物）１１２が配設されており、変動入賞装置１１２は、左右幅方向を長手とした矩形状の大入賞口（アタッカー）１１４を備え、大入賞口１１４内には通称「Ｖゾーン」と呼ばれる連続役物作動口（図示省略）が設けられている。大入賞口１１４は、開閉扉１１６が開放又は閉塞することによって開口又は閉口するようになっており、開閉扉１１６の開放時には、開閉扉１１６上に落下した遊技球が開閉扉１１６に案内されて大入賞口１１４へ入賞する。さらに、遊技領域１０１には、入賞口１１８、風車１２０、サイド飾り１２２Ｌ、１２２Ｒが設けられており、最下位置にアウト口１２４が配置されている。
【００３１】
なお、上述した役物や各種遊技部品が取り付けられている遊技領域１０１には、遊技領域１０１内を落下する遊技球を所定の経路に誘導する多数の遊技釘が打ち込まれているが、図１ではそれら遊技釘の図示を省略している。また、本実施形態のパチンコ機１０は、発射装置４０を遊技盤１００の左下に配置して遊技球を上方に発射する機種であり、従来機種に比べてアウト口１２４の位置を下げることにより遊技領域１０１が拡大されている。また、パチンコ機本体は、ガラス枠２６や一体皿ユニット３０等を備えるとともに遊技盤１００が搭載された内枠１４によって構成されており、それらの内枠１４、ガラス枠２６、及び一体皿ユニット３０等は全て樹脂成形品とされている。
【００３２】
（パチンコ機の遊技仕様）
パチンコ機１０による遊技では、遊技者が発射ハンドル３４を操作すると、球皿２８に貯えられている遊技球は球送り装置３８により一球づつ発射装置４０に供給され、発射装置４０によって上方へ発射される（図１の矢印Ａ方向）。発射された遊技球は、外レール１０２に沿って遊技盤１００の遊技領域１０１に打ち込まれ、遊技釘に当たり方向を変えながら遊技領域１０１内を落下する。そして、入賞せずに遊技領域１０１の下端部に至った遊技球はアウト口１２４からパチンコ機１０内に回収される。
【００３３】
また、遊技球が入賞口１１８に入賞すると、賞球払出装置が作動して所定数（例えば５個）の賞球を払い出し、その払い出された賞球は、貯球タンク４２内を通りタンク出口４４を介して賞球排出口４６から球皿２８に排出される。
【００３４】
さらに、始動口１１０へ入賞すると、パチンコ機１０内の制御部（主制御基板）において当たり／外れの抽選処理が実行され、その抽選結果は、特別図柄表示装置１０６のディスプレイ画面１０８に、配列された複数の特別図柄が所定のパターンで変動されその変動パターンを経た停止図柄の組み合わせによって表示される。なお、この特別図柄の変動パターンには、例えば、リーチを経た当たり図柄の表示又は外れ図柄の表示、あるいはリーチなしの外れ図柄表示など、様々な演出や趣向を加味した数多くのパターンが用意されており、遊技者は、それらの演出を受け特別図柄の抽選結果を期待感も持って観察する。
【００３５】
そして、抽選結果が「大当たり」となった場合は、特別図柄表示装置１０６のディスプレイ画面１０８に、例えば、リーチ・アクションを経て「５５５」等の予め定められた所定の当たり図柄の組み合わせが表示されるとともに、表示灯８０の点滅やスピーカー８６、８８からの効果音出力などによる演出を加えて、大当たりが発生したことを遊技者に報知し、所定の大当たり動作を実行する。
【００３６】
大当たり動作としては、大入賞口１１４が、例えば１０カウント（入賞個数）又は最大３０秒間（１回の開放時間）／最高１６ラウンド（継続回数）開放されるとともに、１回の大入賞口１１４開放時に大入賞口１１４内のＶゾーンへの入賞を果たすことで次ラウンドを継続するといった動作が行われる。これにより、遊技者は、発射した遊技球を大入賞口１１４へ容易に入賞させ、例えば入賞１個当たり１５個の払い出しを受けるなどして、大量の賞球を獲得できるようになる。そして大量の賞球払い出しにより球皿２８が満杯になると、球皿２８に貯え切れなくなった分の賞球は貯球タンク４２内に貯球される。
【００３７】
また、当たり図柄が、例えば「７７７」等の予め定められた特定の図柄の組み合わせとなった場合には、上述した大当たり動作の終了後に、次の大当たり確率がアップする「確率変動機能」、あるいは大当たり確率は変わらないが特別図柄表示装置１０６の回転時間が短縮され大入賞口１１４が開放し易くなって球持ちをよくする「時短機能」といった付加機能が作動して、遊技者にとって有利な遊技状態が展開される。
【００３８】
次に、図３〜図７を用いて外枠１２の構成と下飾り２０の取付構造ついて詳細に説明する。
【００３９】
（外枠の構成）
本実施形態に係る外枠１２は、アルミニウム合金による成形品（アルミダイキャスト製）とされている。図３及び図４に示されるように、外枠１２は、上枠部１５２、下枠部１５４、左枠部１５６、及び右枠部１５８が一体化された一体構造の枠本体１５０を備え、枠本体１５０の前面下部には、枠本体１５０を補強するとともに前方へ凸出されて下飾り２０が取り付けられる凸壁部１６０が一体的に設けられている。この枠本体１５０の内側に形成される空間１５１に、パチンコ機本体を構成する内枠１４の裏面側が収容されるようになっている。
【００４０】
また、前述したヒンジ部１６は上枠部１５２の左端部に、ヒンジ部１８は凸壁部１６０の左側上端部にそれぞれ一体的に設けられて図示のように前方へ突出している。鍵受け部５８Ａ、５８Ｂについては、右枠部１５８の内側面にそれぞれ一体的に設けられて図示のように内方へ突出している。したがって、外枠１２は、一体構造の枠本体１５０に、凸壁部１６０、ヒンジ部１６、１８、及び鍵受け部５８Ａ、５８Ｂを全て一体化した構成となっている。
【００４１】
図５及び図６には、外枠１２に内枠１４を開閉可能に支持する支持構造が示されている。
【００４２】
図５（Ａ）、（Ｂ）に示される上側の支持構造としては、内枠１４の左上端部には、鋼鉄製のヒンジピン１６２が立設された板金製のヒンジ板１６４が取り付けられている。外枠１２のヒンジ部１６には、ヒンジ部１６の下面に、ヒンジピン１６２を収容して回動可能に支持する溝部１６６が形成されており、この溝部１６６は外枠１２の内方となる右側が開口している。さらに、ヒンジ部１６の下面には支軸１６８が一体的に設けられており、支軸１６８には、溝部１６６に収容されたヒンジピン１６２を保持及び保持解除するのための解除レバー１７０が回動可能に軸支されて取り付けられている。この解除レバー１７０は、図示しないバネによって、先端側のレバー部１７２が後方（図５（Ａ）に示す矢印Ｒ方向）へ回動する方向へ付勢されており、通常は、レバー部１７２はヒンジ部１６の右側に延設された鍔部１７４の下側に位置して隠れるとともに、その状態で基端側の保持部１７６により溝部１６６の開口側を塞いでいる（保持状態）。また、付勢力に抗してレバー部１７２を前方（図５（Ａ）に示す矢印Ｆ方向）へ操作すると、保持部１７６によって塞がれている溝部１６６の開口側は開放されるようになる（保持解除状態）。
【００４３】
一方、図６（Ａ）、（Ｂ）に示される下側の支持構造としては、内枠１４の左下端部には、ヒンジ孔１７８が形成された板金製のヒンジ板１８０が取り付けられている。外枠１２のヒンジ部１８には、ヒンジ板１８０のヒンジ孔１７８へ挿入されてヒンジ孔１７８を回動可能に支持する鋼鉄製のヒンジピン２００が立設されている。
【００４４】
これにより、内枠１４は、一対のヒンジ板１６４、１８０が外枠１２のヒンジ部１６、１８に軸支されて外枠１２に開閉可能に取り付けられる。また、解除レバー１７０のレバー部１７２を操作しながら図５（Ｂ）に示すようにヒンジ板１６４のヒンジピン１６２をヒンジ部１６の溝部１６６から離脱させ、さらに、内枠１４を持ち上げて図６（Ｂ）に示すようにヒンジ板１８０のヒンジ孔１７８をヒンジ部１８のヒンジピン２００から離脱させることによって、内枠１４を外枠１２から簡単に取り外すことができる。また、この逆の手順によって内枠１４を外枠１２に簡単に取り付けられるようになっている。
【００４５】
（下飾りの取付構造）
図４に示すように、凸壁部１６０の前面１６０Ａには、左右方向を長手とした矩形状の矩形孔２１０が５個、円形の位置決め孔２１２が２個形成されており、これらの矩形孔２１０及び位置決め孔２１２は凸壁部１６０を前後方向に貫通している。また各孔の配置は、矩形孔２１０については、前面１６０Ａの略中央部に１個（矩形孔２１０Ｃ）、前面１６０Ａの左端部近傍及び右端部近傍にそれぞれ上下に配列された２個（左上：矩形孔２１０ＬＵ、左下：矩形孔２１０ＬＤ、右上：矩形孔２１０ＲＵ、右下：矩形孔２１０ＲＤ）、位置決め孔２１２については、前面１６０Ａの左端部近傍及び右端部近傍に、矩形孔２１０ＬＵ、ＬＤ及び矩形孔２１０ＲＵ、矩形孔２１０ＲＤよりもそれぞれ少し内側に１個づつ配置されている（左側：位置決め孔２１２Ｌ、右側：位置決め孔２１２Ｒ）。
【００４６】
また、凸壁部１６０の上面１６０Ｂには、中央より少し右側に位置して上面１６０Ｂよりも高位の段差部２１４が設けられている。段差部２１４の上面は平面状とされ（段差面）、段差部２１４の前側には前方へ下り傾斜した傾斜面２１６が設けられている。この段差部２１４には、内枠１４を外枠１２に閉塞する際に、内枠１４の下部に設けられたローラー（図示省略）が傾斜面２１６上を転がって乗り上げ、内枠１４の閉塞状態では、そのローラー及び段差部２１４を介して内枠１４が外枠１２の凸壁部１６０に支持されるようになっている。
【００４７】
一方、下飾り２０は、左上端部にヒンジ部１８と対応する凹段部２１８が設けられた正面視略矩形状とされている。裏面２０Ｃの縁部に周リブ２２０が設けられており、周リブ２２０には上記の段差部２１４と対応する部位に切り欠き部２２２が形成されている。この周リブ２２０と裏面２０Ｃとによって、下飾り２０の裏側には凹部２２４が形成されており、また、下飾り２０の前面２０Ａと外周面２０Ｂとが体裁面、すなわち外枠１２の前面下部（凸壁部１６０）を装飾する装飾面となっている。
【００４８】
さらに、裏面２０Ｃには、凸壁部１６０側の矩形孔２１０Ｃ、２１０ＬＵ、２１０ＬＤ、２１０ＲＵ、２１０ＲＤと対応する位置に５個の係合部材２２６（係合部材２２６Ｃ、２２６ＬＵ、２２６ＬＤ、２２６ＲＵ、２２６ＲＤ）、位置決め孔２１２Ｌ、２１２Ｒと対応する位置に２個の位置決めピン２２８（位置決めピン２２８Ｌ、２２８Ｒ）が配設され、これらの係合部材２２６及び位置決めピン２２８は下飾り２０にそれぞれ一体的に設けられ、且つ、裏面２０Ｃに対して垂直方向に突出されている。また、図７に示すように、位置決めピン２２８は周リブ２２０の高さよりも少し長くされており、係合部材２２６の長さは周リブ２２０の高さの半分程度とされている。
【００４９】
係合部材２２６は、下飾り２０の裏面２０Ｃに繋がれるとともに矩形孔２１０の開口高さ寸法よりも薄い所定の厚さ寸法で形成された板状の弾性片２３０を備えている。弾性片２３０は、先端側が図７の上下方向に弾性変形可能とされており、先端部には、先端側へ向けて薄肉となる傾斜形状の係止爪２３２が形成されている。この係止爪２３２は、係合部材２２６Ｃ、２２６ＬＵ、２２６ＲＵについては弾性片２３０の上面側に爪部が突出しており、係合部材２２６ＬＤ、２２６ＲＤについては弾性片２３０の下面側に爪部が突出している（図４参照）。
【００５０】
（下飾りの着脱方法）
次に、本実施形態の作用について説明する。
【００５１】
本実施形態の下飾り２０を外枠１２の凸壁部１６０に取り付けるには、下飾り２０の裏面２０Ｃに設けられた位置決めピン２２８を凸壁部１６０の位置決め孔２１２に位置合わせして挿入する（図７の矢印ＩＮ方向）。挿入の途中で、下飾り２０の凹部２２４は凸壁部１６０に位置合わせされ、その後の挿入では、位置決めピン２２８がガイドとなって周リブ２２０を凸壁部１６０の外周面に沿わせながらスムーズに挿入することができる。
【００５２】
さらに挿入を続けると、係合部材２２６は矩形孔２１０へと案内され、係止爪２３２の傾斜面が矩形孔２１０の前面側の縁部に当たると抵抗力を生じる。そこから、その抵抗力以上の力で下飾り２０を凸壁部１６０側に押すと、係止爪２３２は更に矩形孔２１０内へ挿入され、それに伴い弾性片２３０は弾性変形し撓む。
【００５３】
そして、下飾り２０の裏面２０Ｃを凸壁部１６０の前面１６０Ａに突き当てるまで押し込むと、係止爪２３２は矩形孔２１０を通り抜け、その瞬間、撓まされた弾性片２３０が弾性力によって元の状態に復帰し、係止爪２３２を矩形孔２１０の後側の縁部に係止させる。ここで、係止爪２３２は弾性片２３０の弾性力によりその状態に保持されるため、下飾り２０は外枠１２の凸壁部１６０に固定され（図３及び図７の状態）、外枠１２の前面下部が下飾り２０によって装飾される。
【００５４】
また、図７に示すように、位置決めピン２２８は位置決め孔２１２に嵌め入れられた状態であり、これに加えて下飾り２０の凹部２２４内には凸壁部１６０が収まって密接する。これにより、下飾り２０のガタつきは抑えられ、されに、下飾り２０に上下方向や左右方向（図７の紙面奥側又は手前側）の外力等が加わっても、その力は位置決めピン２２８と位置決め孔２１２及び凹部２２４と凸壁部１６０との２つの嵌合部によって受け止められるため、矩形孔２１０に挿入された弾性片２３０が矩形孔２１０の孔壁面に押し付けられ変形したり破損することが防がれる。
【００５５】
また、下飾り２０を取り外す場合は、下飾り２０を取り付け方向とは反対の方向へ所定の力で引っ張ると（図７の矢印ＯＵＴ方向）、係合部材２２６の弾性片２３０は係止爪２３２が矩形孔２１０の縁部から外れる方向へ撓み、係止爪２３２が矩形孔２１０の縁部から外れた瞬間、引っ張り方向の負荷が軽くなる。そしてそのまま、下飾り２０を凸壁部１６０から引き抜くようにして取り外すことができる。
【００５６】
以上説明したように、本実施の形態に係るパチンコ機１０では、下飾り２０を外枠１２の被装飾部となる凸壁部１６０に嵌め込み係合部材２２６を矩形孔２１０に係合させることで下飾り２０が外枠１２に取り付けられ、また、下飾り２０を引っ張って矩形孔２１０と係合部材２２６の係合状態を解除することにより、外枠１２から下飾り２０を取り外すことができる。このように、下飾り２０の着脱性が良好になることで組立・分解作業性が向上し、また、外枠１２をパーツリサイクルする際の下飾り２０の交換作業性が向上する。
【００５７】
また、本実施の形態では、下飾り２０に設けた位置決めピン２２８を係合部材２２６よりも長くしていることにより、下飾り２０の取り付け時には係合部材２２６（弾性片２３０）が矩形孔２１０に挿入される前に位置決めピン２２８が位置決め孔２１２に嵌め入れられてガイドとなる。これにより、係合部材２２６が矩形孔２１０に案内され挿入しやすくなって取り付け作業が容易となる。また、この位置決めピン２２８及び位置決め孔２１２により、下飾り２０を適切な取り付け位置に位置決めすることができている。
【００５８】
［第２の実施形態］
次に、図８を用いて本発明の第２の実施形態について説明する。この第２の実施形態は、第１の実施形態で説明した係合部材の形状を変更した例である。
【００５９】
図８に示される第２の実施形態に係る係合部材２４０は、下飾り２０の裏面２０Ｃに第１の実施形態と同じ配置とされた５個がすべて同形状とされている。これらの各係合部材２４０は、上下に所定の間隔で配置された一対の弾性片２４２Ｕ、２４２Ｄを備えており、上側の弾性片２４２Ｕの先端部には、弾性片２４２Ｕの上面側に爪部が突出する係止爪２４４Ｕが形成され、下側の弾性片２４２Ｄの先端部には、弾性片２４２Ｄの下面側に爪部が突出する係止爪２４４Ｄが形成されている。
【００６０】
このような、一対の弾性片２４２Ｕ、２４２Ｄを備える係合部材２４０の場合も、図示のように、弾性片２４２Ｕ、２４２Ｄを矩形孔２１０に挿入させると、係止爪２４４Ｕ、２４４Ｄが矩形孔２１０の後面側の縁部に係止し弾性片２４２Ｕ、２４２Ｄの弾性力によってその状態に保持される。したがって、第１の実施形態と同様に、下飾り２０を凸壁部１６０に嵌め込む（図８の矢印ＩＮ方向）又は引き抜く（図８の矢印ＯＵＴ方向）だけで、下飾り２０を外枠１２に簡単に着脱することができる。
【００６１】
［第３の実施形態］
次に、図９〜図１１を用いて本発明の第３の実施形態について説明する。この第３の実施形態は、係合部材をスライド構造に変更した例である。
【００６２】
図９〜図１１に示される第３の実施形態に係る下飾り２１は、第１及び第２実施形態の下飾り２０と同じく、正面視が略矩形状で、左上端部にヒンジ部１８と対応する凹段部２５０が設けられ、外枠１２の段差部２１４と対応する上端部部位に切り欠き部２５２が形成されており、前面２１Ａ及び外周面２１Ｂが体裁面（装飾面）となっている。また、裏面２１Ｃの左右側縁及び下端縁には周リブ２５４が設けられており、この周リブ２５４と裏面２１Ｃとによって、下飾り２１の裏側には上部側が開口した凹部２５６が形成されている。
【００６３】
また、裏面２１Ｃには、凸壁部１６０側の矩形孔２１０Ｃ、２１０ＬＵ、２１０ＬＤ、２１０ＲＵ、２１０ＲＤと対応する位置に５個の係合部材２５８（係合部材２５８Ｃ、２５８ＬＵ、２５８ＬＤ、２５８ＲＵ、２５８ＲＤ）が一体的に設けられている。これらの係合部材２５８はすべて同じ形状とされ、裏面２１Ｃに対して垂直方向に突出されている。
【００６４】
さらに、裏面２１Ｃの上端部近傍には、半円柱状（断面半円形）の凸部２６０、２個が左右方向に沿ってそれぞれ延設されており、左側に位置する一方の凸部２６０は凹段部２５０と係合部材２５８Ｃの間に配置され、右側に位置する他方の凸部２６０は切り欠き部２５２と係合部材２５８ＲＵ、２５８ＲＤの間に配置されている。
【００６５】
係合部材２５８は、図１１に示すように、下飾り２１の裏面２１Ｃに繋がれるとともに矩形孔２１０の開口高さ寸法よりも薄い所定の厚さ寸法で形成された板状の挿入片２６２を備えている。挿入片２６２の先端部上面には、所定の高さ寸法とされた板状の係止部２６４が形成され上方へ突出している。また、この係合部材２５８の長さは周リブ２５４の高さの半分程度とされている。
【００６６】
以上の構成からなる下飾り２１を外枠１２に取り付けるには、下飾り２１の裏面２１Ｃ下縁部に設けた周リブ２５４の内面と凸壁部１６０の下面１６０Ｃとの間に少し隙間を空けた状態で、左右縁部に設けた周リブ２５４の内面を凸壁部１６０の左右側面に沿わせながら、下飾り２１を凸壁部１６０に被せるようにして凹部２５６を嵌め込む（図１１の矢印ＩＮ方向）。この嵌め込み動作の途中で、係合部材２５８の先端が凸壁部１６０の前面１６０Ａに当たった場合は、下飾り２１を上下方向に少しずらして係合部材２５８を矩形孔２１０に位置合わせする。係合部材２５８と矩形孔２１０の位置が揃えば、そのまま係合部材２５８（挿入片２６２及び係止部２６４）を矩形孔２１０に楽に挿入させて下飾り２１を凸壁部１６０に嵌め込むことができる。
【００６７】
さらに、下飾り２０を凸壁部１６０に突き当てるまで嵌め込むと、裏面２１Ｃの上部側に位置する凸部２６０と、裏面２１Ｃの下部側とが凸壁部１６０の前面１６０Ａにそれぞれ接触し、そこから下飾り２１の前面２１Ａ上部側を少し強く押して、下飾り２１を上方へスライドさせる（図１１の矢印ＵＰ方向）。このとき、押圧された下飾り２１の上部側は、凸部２６０を支点として前側に少し撓み変形する。そのため、このスライド動作では、矩形孔２１０を通り抜けた係止部２６４は凸壁部１６０の裏面１６０Ｄに摺接し、凸部２６０は凸壁部１６０の前面１６０Ａに摺接してそれぞれ上方へ移動することになり、これらの摩擦力によって抵抗力を生じる。
【００６８】
そして、下側の周リブ２５４内面が凸壁部１６０の下面１６０Ｃに突き当たるまでスライドさせると、凸部２６０は凸壁部１６０の前面１６０Ａから上方へ抜け出し、それとともに、撓まされた下飾り２１の上部側は弾性力によって元の平面的な状態に復帰する。これにより、下飾り２１は、凸壁部１６０の前面１６０Ａ及び上面１６０Ｂによって形成される角部２６２に凸部２６０を係止させ、係合部材２５８の係止部２６４を矩形孔２１０の縁部に係止させて、外枠１２の凸壁部１６０に固定される（図９及び図１１の状態）。なお、この取付状態では、挿入片２６２の上面は矩形孔２１０の上側の孔壁面に略接触している。
【００６９】
また、第１及び第２実施形態と同様に、下飾り２１の凹部２５６内には凸壁部１６０が収まって密接している。これにより、下飾り２１のガタつきは抑えられ、さらに、下飾り２１に左右方向（図１１の紙面奥側又は手前側）の外力等が加わっても、矩形孔２１０に挿入された挿入片２６２が矩形孔２１０の孔壁面に押し付けられ破損するようなことはない。
【００７０】
また、下飾り２１を取り外す場合は、下飾り２１を所定の力で下方へ押し下げスライドさせる（図１１の矢印ＤＯＷＮ方向）。このスライド動作においても、凸壁部１６０の裏面１６０Ｄと係止部２６４との摩擦抵抗、及び、凸壁部１６０の前面１６０Ａと凸部２６０との摩擦抵抗によって負荷を生じる。そして、下方へ移動した係止部２６４が矩形孔２１０の縁部から外れた瞬間、負荷は軽くなり、そのまま、下飾り２０を凸壁部１６０から引き抜くようにすれば、矩形孔２１０から係合部材２５８（挿入片２６２）が抜け出し、下飾り２０を外枠１２から取り外すことができる。
【００７１】
このように、上述したスライド構造を用いることでも、下飾り２１を外枠１２に簡単に着脱することができる。
【００７２】
以上、本発明を上述した第１〜第３の実施形態により詳細に説明したが、本発明はそれに限定されるものではなく、本発明の範囲内にて他の種々の実施形態が可能である。
【００７３】
例えば、第１の実施形態で説明した位置決めピン２２８と位置決め孔２１２の配置は逆にすることができる。
【００７４】
また、第３の実施形態では、下飾り２１の裏面２１Ｃに第１の実施形態と同様の位置決めピンを設け、凸壁部１６０の前面１６０Ａには縦長の位置決め孔を形成することにより、それらの位置決めピン及び位置決め孔から構成される下飾り取付時のガイド構造を加えてもよい。また、第３実施形態のようなスライド構造においては、スライド方向は上下方向に限らず左右方向とすることもできる。
【００７５】
また、外枠については、アルミダイキャスト製に限らず樹脂成形製等の他の材質による一体構造のものでもよい。さらに一体構造ではなく、例えば、被装飾部（凸壁部１６０）が分離する構造、あるいは、各枠部が分割可能な構成の外枠でもよい。また、被装飾部の形状については、凸状に限らず、平面状や凹状などの他の形状であっても構わない。
【００７６】
また、本発明は、外枠の前面下部を装飾する下飾りに限らず、例えば、外枠の前面上部や側部等を装飾する構成であれば、それらの被装飾部を装飾する装飾部材にも適用することができる。
【００７７】
【発明の効果】
本発明の遊技機は上記構成としたので、外枠に取り付けられる装飾部材の着脱性が良好になり、組立・分解作業性及びパーツリサイクル時の交換作業性が向上する。
【図面の簡単な説明】
【図１】本発明の第１の実施形態に係るパチンコ機を示した斜視図である。
【図２】本発明の第１の実施形態に係るパチンコ機を示した正面図である。
【図３】本発明の第１の実施形態に係る外枠に下飾りが取り付けられた状態を示した斜視図である。
【図４】本発明の第１の実施形態に係る外枠の前面下部側及び外枠から取り外された状態の下飾りを示した斜視図である。
【図５】本発明の第１の実施形態に係る内枠上部側の支持構造を示した斜視図であり、（Ａ）は内枠上部側が外枠に支持された状態であり、（Ｂ）は離脱した状態である。
【図６】本発明の第１の実施形態に係る内枠下部側の支持構造を示した斜視図であり、（Ａ）は内枠下部側が外枠に支持された支持状態であり、（Ｂ）は離脱した状態である。
【図７】本発明の第１の実施形態に係る外枠に下飾りが取り付けられた状態の係合部における断面図である。
【図８】本発明の第２の実施形態に係る外枠に下飾りが取り付けられた状態の係合部における断面図である。
【図９】本発明の第３の実施形態に係る外枠に下飾りが取り付けられた状態を示した斜視図である。
【図１０】本発明の第３の実施形態に係る外枠の前面下部側及び外枠から取り外された状態の下飾りを示した斜視図である。
【図１１】本発明の第３の実施形態に係る外枠に下飾りが取り付けられた状態の係合部における断面図である。
【図１２】従来の外枠を示した正面図である。
【図１３】従来の外枠を示した裏面図である。
【符号の説明】
１０        パチンコ機（遊技機）
１２        外枠
２０        下飾り（装飾部材）
１５２        上枠部
１５４        下枠部
１５６        左枠部
１５８        右枠部
１６０        凸壁部（被装飾部）
２１０        矩形孔（第１係合部／貫通孔）
（２１０Ｃ、２１０ＬＵ、２１０ＬＤ、２１０ＲＵ、２１０ＲＤ）
２１２        位置決め孔（嵌入孔）
（２１２Ｌ、２１２Ｒ）
２２６        係合部材（第２係合部）
（２２６Ｃ、２２６ＬＵ、２２６ＬＤ、２２６ＲＵ、２２６ＲＤ）
２２８        位置決めピン（突出部）
（２２８Ｌ、２２８Ｒ）
２３０        弾性片
２３２        係止爪
２４０        係合部材（第２係合部）
（２４０Ｃ、２４０ＬＵ、２４０ＬＤ、２４０ＲＵ、２４０ＲＤ）
２４２Ｕ      弾性片
２４２Ｄ      弾性片
２４４Ｕ      係止爪
２４４Ｄ      係止爪
２５８        係合部材（第２係合部）
（２５８Ｃ、２５８ＬＵ、２５８ＬＤ、２５８ＲＵ、２５８ＲＤ）
２６２        挿入片
２６４        係止部
【図１】
2004194726.tif 000003
【図２】
2004194726.tif 000004
【図３】
2004194726.tif 000005
【図４】
2004194726.tif 000006
【図５】
2004194726.tif 000007
【図６】
2004194726.tif 000008
【図７】
2004194726.tif 000009
【図８】
2004194726.tif 000010
【図９】
2004194726.tif 000011
【図１０】
2004194726.tif 000012
【図１１】
2004194726.tif 000013
【図１２】
2004194726.tif 000014
【図１３】
2004194726.tif 000015